(57)【要約】【課題】  ディスクの種別（ＣＤ／ＤＶＤ，単層／多層）を正確に判別する。【解決手段】  光学ピックアップの対物レンズをディスクに対して遠い位置から近い位置まで一定速度で上昇移動すると共に、ピークボトム検出器が、この焦点移動により得られるフォーカスエラー信号のピークからボトムまでの間のレベル（ピークtoボトムレベル）を検出する。サーボ処理マイコンは、上記焦点がディスクの記録層を移動する間に得られた、上記ピークtoボトムレベルのうち、所定の最小レベル以上のピークtoボトムレベルを有するフォーカスエラー信号の数をカウントし、このカウント値に基づいてディスク１の種別を判別する。これにより、機器毎の特性差，ディスクの反射率のバラツキ，環境温度の変化、及び再生出力のうねりにより発生する偽パルスに影響されることなく正確にディスクの種別を判別することができる。【選択図】      図１
2004342309.tif 000002
【特許請求の範囲】
【請求項１】
記憶媒体の記録面に対して垂直方向に走査する走査期間を設定するステップと、
上記走査期間における再生出力の振幅に基づいて再生出力レベルを検出するステップと、
上記再生出力のうち所定レベルよりも大きな再生出力レベルを有する再生出力数をカウントするステップと、
上記カウントされた再生出力数分の記録層を上記記憶媒体が有するものと判別するステップと
をコンピュータに実行させるための記憶媒体の種別判別プログラム。
【請求項２】
請求項１記載の種別判別プログラムであって、
記録層を複数有する記憶媒体から得られる通常レベルの複数の再生出力の比率を示す通常比率を記憶するステップと、
上記記憶媒体から少なくとも第１の再生出力と第２の再生出力とを取得するステップと、
上記第１の再生出力の値で上記第２の再生出力の値を除算するステップと、
上記除算値を、上記通常比率を示す値と比較するステップと、
上記除算値が上記通常比率を示す値よりも大きな値を示す場合、上記第２の再生出力のレベルを上記所定レベルと比較するステップと
を有することを特徴とする種別判別プログラム。
【請求項３】
請求項１又は請求項２記載の種別判別プログラムであって、
上記再生出力レベルを検出するステップは、上記再生出力のピークレベルからボトムレベルまでの差分を上記再生出力レベルとして検出すること
を特徴とする種別判別プログラム。
【請求項４】
請求項１から請求項３のうち、いずれか一項記載の種別判別プログラムであって、
上記再生出力は、フォーカスエラー信号であること
を特徴とする種別判別プログラム。
【請求項５】
記憶媒体の記録面に対して垂直方向に走査する走査期間を設定する走査期間設定手段と、
上記走査期間における再生出力の振幅に基づいて再生出力レベルを検出するレベル検出手段と、
上記再生出力のうち所定レベルよりも大きな再生出力レベルを有する再生出力数をカウントするカウント手段と、
上記カウント手段でカウントされた再生出力数分の記録層を上記記憶媒体が有するものと判別する判別手段と
を有する記憶媒体の種別判別装置。
【請求項６】
請求項５記載の種別判別装置であって、
記録層を複数有する記憶媒体から得られる通常レベルの複数の再生出力の比率を示す通常比率が記憶された記憶手段を有し、
上記記憶媒体からは、少なくとも第１の再生出力と第２の再生出力とが得られ、
上記カウント手段は、上記第１の再生出力の値で上記第２の再生出力の値を除算し、この除算値を、上記記憶手段に記憶されている通常比率を示す値と比較し、該除算値が通常比率を示す値よりも大きな値を示す場合、上記第２の再生出力のレベルを上記所定レベルと比較すること
を特徴とする種別判別装置。
【請求項７】
請求項５又は請求項６記載の種別判別装置であって、
上記再生出力レベルは、再生出力のピークレベルからボトムレベルまでの差分であること
を特徴とする種別判別装置。
【請求項８】
請求項５から請求項７のうち、いずれか一項記載の種別判別装置であって、
上記再生出力は、フォーカスエラー信号であること
を特徴とする種別判別装置。
【請求項９】
記憶媒体の記録面に対して垂直方向に走査する走査期間を設定するステップと、
上記走査期間における再生出力の振幅に基づいて再生出力レベルを検出するステップと、
上記再生出力のうち所定レベルよりも大きな再生出力レベルを有する再生出力数をカウントするステップと、
上記カウントされた再生出力数分の記録層を上記記憶媒体が有するものと判別するステップと
をコンピュータに実行させるための記憶媒体の種別判別プログラムが記憶されたコンピュータ読み取り可能な記憶媒体。
【請求項１０】
請求項９記載の記憶媒体であって、
記録層を複数有する記憶媒体から得られる通常レベルの複数の再生出力の比率を示す通常比率を記憶するステップと、
上記記憶媒体から少なくとも第１の再生出力と第２の再生出力とを取得するステップと、
上記第１の再生出力の値で上記第２の再生出力の値を除算するステップと、
上記除算値を、上記通常比率を示す値と比較するステップと、
上記除算値が上記通常比率を示す値よりも大きな値を示す場合、上記第２の再生出力のレベルを上記所定レベルと比較するステップと
を有することを特徴とする記憶媒体。
【請求項１１】
記憶媒体の記録面に対して垂直方向に走査する走査期間を設定するステップと、
上記走査期間における再生出力の振幅に基づいて再生出力レベルを検出するステップと、
上記再生出力のうち所定レベルよりも大きな再生出力レベルを有する再生出力数をカウントするステップと、
上記カウントされた再生出力数分の記録層を上記記憶媒体が有するものと判別するステップと
を有する記憶媒体の種別判別方法。
【請求項１２】
請求項１１記載の種別判別方法であって、
記録層を複数有する記憶媒体から得られる通常レベルの複数の再生出力の比率を示す通常比率を記憶するステップと、
上記記憶媒体から少なくとも第１の再生出力と第２の再生出力とを取得するステップと、
上記第１の再生出力の値で上記第２の再生出力の値を除算するステップと、
上記除算値を、上記通常比率を示す値と比較するステップと、
上記除算値が上記通常比率を示す値よりも大きな値を示す場合、上記第２の再生出力のレベルを上記所定レベルと比較するステップと
を有することを特徴とする種別判別方法。
【発明の詳細な説明】
【技術分野】
【０００１】
本発明は、本発明は、例えばビデオゲーム機，デジタルビデオディスク装置，光磁気ディスク装置，磁気ディスク装置等に適用して好適な、記憶媒体の種別判別プログラム，記憶媒体の種別判別装置，記憶媒体の種別判別プログラムを記憶させた記憶媒体、及び記憶媒体の種別判別方法に関する。
【背景技術】
【０００２】
従来、ＣＤ−ＲＯＭ等のように、１面のみ記録面を有する「単層」の二次元構成を有する記憶媒体が知られている。
【０００３】
また、ＤＶＤや蛍光多層ディスク（FMD：Fluorescent Multilayer Disc）等のように、単層の二次元構成の他、記録層を複数層積層した「多層」の三次元構成を有する記憶媒体（三次元記憶媒体）も知られている。
【０００４】
このような三次元記憶媒体を取り扱う機器においては、記録層が１層である単層の記憶媒体及び記録層が２層以上である多層の記憶媒体の互換性が求められるが、両方の記憶媒体を取り扱い可能とするためには、レーザレベルや各信号の利得等の設定を単層の記憶媒体と多層の記憶媒体とで変更する必要がある。
【０００５】
このため、三次元記憶媒体を取り扱う機器の場合、記録や再生に先立って、その記憶媒体が単層の記憶媒体であるか、或いは多層の記憶媒体であるかを判別し、この判別結果に基づいて各部の設定を変更してその記憶媒体に対して記録や再生を行うようになっている。
【０００６】
例えば、多層のＤＶＤを取り扱うＤＶＤ装置の場合、光学ピックアップを所定の位置から徐々にＤＶＤに近づけていくことで光学ピックアップから得られる再生信号（和信号＝ＲＦ信号）の信号レベルの違いに基づいて単層と多層の判別やＤＶＤ−ＲＷ等の相変化ディスクの判別を行うようになっており（レベル判別方法、特許文献１参照）、或いは光学ピックアップを所定の位置から徐々にＤＶＤに近づけていくことで光学ピックアップから得られるフォーカスエラー信号（ＦＥ信号）のエラー数をカウントし、このカウント値に基づいて単層と多層の判別を行うようになっている（フォーカスエラーカウント方法、特許文献２参照）。
【０００７】
具体的には、上記レベル判別方法において、光学ピックアップを一定のレーザレベルとし、この光学ピックアップを所定の位置から徐々にＤＶＤに近づけていく（例えば、ディスクから離れた位置（Disc Far）よりディスクに近い位置（Disc Near）へと光学ピックアップを近づけていく）と、まず、ポリカーボネート樹脂等のディスクの保護膜からの反射光による再生信号（ディスク表面反射信号）を得ることができ、続いて記録層（信号面）からの反射光による再生信号（信号面反射信号）を得ることができる。
【０００８】
図１３に、記録層が１層であるＤＶＤ（以下、単層ＤＶＤという）の場合のディスク表面反射信号及び信号面反射信号を示す。また、図１４に、記録層が２層以上であるＤＶＤ（以下、多層ＤＶＤという）の場合のディスク表面反射信号及び信号面反射信号をそれぞれ示す。
【０００９】
この図１３及び図１４を見比べてわかるように、ディスク表面反射信号は、単層ＤＶＤ（図１３）及び多層ＤＶＤ（図１４）の両ディスクともレベル差は無いが、信号面反射信号は、単層ＤＶＤの場合、１層の記録面に対応する一つのピークレベルを有し、また、レベル自体も大きくなっている。これに対して、多層ＤＶＤの場合、信号面反射信号は、複数の記録面に対応する複数のピークレベルを有し（この図１４に示す例の場合、記録層が２層のＤＶＤであるため、２つのピークレベルとなっている。）、また、レベル自体も、各層の光の透過率の違いや各層間に間隙部が存在することによる光の乱反射等により、単層ＤＶＤと比べて低くなっている（反射レベルＰ１＞反射レベルＰ２）。
【００１０】
このため、レベル判別方法においては、単層ＤＶＤから得られる信号面反射信号のピークレベルと、多層ＤＶＤから得られる信号面反射信号のピークレベルとの間のレベルとなる閾値を設定し、信号面反射信号の信号レベルがこの閾値以上のレベルであった場合はそのＤＶＤは単層ＤＶＤと判別し、信号面反射信号の信号レベルがこの閾値以下のレベルであった場合はそのＤＶＤは多層ＤＶＤ、若しくは低反射記憶媒体（ＤＶＤ−ＲＷ等の相変化ディスク）と判別する。これにより、単層の記憶媒体、多層の記憶媒体、または低反射記憶媒体であるかどうかを判別することができる。
【００１１】
これに対して、上記フォーカスエラーカウント方法において、光学ピックアップを一定のレーザレベルとし、この光学ピックアップを所定の位置から徐々にＤＶＤに近づけていくと、単層ＤＶＤの場合、記録面に対する合焦の前後にかけて図１５に示すようなフォーカスエラー信号（ＦＥ）を得ることができ、また、多層ＤＶＤの場合、記録面に対する合焦の前後にかけて図１６に示すようなフォーカスエラー信号（ＦＥ）を得ることができる。
【００１２】
フォーカスエラーカウント方法においては、このフォーカスエラー信号に対してハイレベル用の閾値（FcmpH Slice Level）を設定し、フォーカスエラー信号がこのハイレベル用の閾値以上となっている間、ハイレベルとなる信号であるFcmpH信号を形成する。
【００１３】
或いは、フォーカスエラー信号に対してローレベル用の閾値（FcmpL Slice Level）を設定し、フォーカスエラー信号がこのローレベル用の閾値以下となっている間、ハイレベルとなる信号であるFcmpL信号を形成する。
【００１４】
図１５に示すFcmpH信号或いはFcmpL信号と、図１６に示すFcmpH信号或いはFcmpL信号とを見比べてわかるように、単層ＤＶＤの場合、図１５に示すようにFcmpH信号或いはFcmpL信号のパルス数は１つであるが、多層ＤＶＤの場合、図１６に示すようにFcmpH信号或いはFcmpL信号のパルス数が複数となる（図１６に示す例の場合、記録層が２層のＤＶＤであるため、FcmpH信号及びFcmpL信号のパルス数は２つとなっている。）。
【００１５】
このため、フォーカスエラーカウント方法においては、このパルス数をカウントし、パルス数が１つの場合は単層ＤＶＤと判別し、パルス数が複数の場合は多層ＤＶＤと判別する。これにより、ＤＶＤの記録層が単層であるか多層であるかを判別することができる。
【００１６】
【特許文献１】特開平１０−１３４４９８号
【特許文献２】特開２０００−２２８０４９号
【発明の開示】
【発明が解決しようとする課題】
【００１７】
しかし、従来の単層又は多層の判別方法である「レベル判別方法」及び「フォーカスエラーカウント方法」は、いずれの方法も再生信号或いはフォーカスエラー信号の信号レベルに対する依存度が大きかったため、以下の問題を生じていた。
【００１８】
すなわち、「レベル判別方法」は、記録再生時の各種ゲインの設定の判断には有効であるが、単層又は多層の判別には、各機器毎に最適なレベルの閾値設定が必要であることや、経年変化によるメディアの反射率のバラツキに対する許容度が狭いという問題があった。
【００１９】
一方、「フォーカスエラーカウント方法」は、「レベル判別方法」の機器と同様の理由により、ハイレベル用の閾値（FcmpH Slice Level）或いはローレベル用の閾値（FcmpL Slice Level）を最適なレベルに設定することは困難であり、カウント用のパルスが正確に形成されない問題と共に、以下に説明する偽パルスの発生により正確なパルス数のカウントを行うことができないという問題があった。
【００２０】
すなわち、フォーカスエラー信号（ＦＥ）は、フォーカスエラーの検出方法，光学ピックアップの光学設計，温度変化，信号利得等により、合焦点の前後において、図１５及び図１６に示すように信号波形に「うねり」を生ずることがあるが、このうねりのレベルがハイレベル用の閾値（FcmpH Slice Level）以上のレベル、或いはローレベル用の閾値（FcmpL Slice Level）以下のレベルとなった場合に、図１５及び図１６に点線の波形のパルスで示すように、本来、発生するはずのない偽パルスが発生する。
【００２１】
「フォーカスエラーカウント方法」の場合、FcmpH信号或いはFcmpL信号のパルス数をカウントすることで単層又は多層の判別を行っているため、このような偽パルスが発生するとFcmpH信号或いはFcmpL信号のパルス数のカウント値が、本来のカウント値とは異なるカウント値となり、正確な単層又は多層の判別が困難となるおそれがある。
【００２２】
例えば、図１５に示す単層ＤＶＤの場合、FcmpH信号或いはFcmpL信号のパルス数のカウント値は、本来「１」のはずであるが、点線の波形の偽パルスもカウントされてしまうため、カウント値が「２」となり、単層ＤＶＤのはずが、多層ＤＶＤであると誤って判別されてしまうおそれがある。
【００２３】
本発明は、上述の課題に鑑みてなされたものであり、「フォーカスエラーカウント方法」及び「レベル判別方法」に代わる新規な種別判別方法を提供すると共に、機器毎の特性差，記憶媒体の反射率のバラツキ，環境温度の変化、及びフォーカスエラー信号のうねりにより発生する偽パルスに影響されることなく正確に記憶媒体の単層／多層の種別を判別する、記憶媒体の種別判別プログラム，記憶媒体の種別判別装置，記憶媒体の種別判別プログラムを記憶させた記憶媒体、及び記憶媒体の種別判別方法の提供を目的とする。
【課題を解決するための手段】
【００２４】
本発明は、記憶媒体からの再生出力のうち記録層に対応する再生出力が得られる期間を判別期間として設定し、この判別期間において、上記記録層に対応する再生出力の振幅に基づいて再生出力レベルを検出する。
【００２５】
そして、上記判別期間内に検出される再生出力のうち所定レベルよりも大きな再生出力レベルを有する再生出力数をカウントし、このカウント数に応じて記録媒体の種別を判別する。
【発明の効果】
【００２６】
本発明は、機器毎の特性差，記憶媒体の反射率のバラツキ，環境温度の変化，及び再生出力のうねり等により発生する偽パルスに影響されることなく正確に記憶媒体の種別を判別することができる。
【発明を実施するための最良の形態】
【００２７】
本発明は、記録層が１層である単層及び記録層が２層以上である多層の両方の記憶媒体に記憶されているビデオゲームプログラムを再生してビデオゲームを実行するビデオゲーム装置に適用することができる。
【００２８】
上記単層の記憶媒体としては、例えばＣＤ，片面側にのみ１層の記録層が設けられているＤＶＤ（１層ＤＶＤ）、片面に１層及び他面に１層の記録層がそれぞれ設けられているＤＶＤ（両面２層ＤＶＤ）等が含まれる。
【００２９】
また、多層の記憶媒体としては、例えば片面側にのみ複数の記録層が設けられているＤＶＤ（片面多層ＤＶＤ）、片面及び他面にそれぞれ複数の記録層が設けられているＤＶＤ（両面多層ＤＶＤ）、及び相変化ディスク（ＤＶＤ−Ｒ，ＤＶＤ−ＲＷ）等が含まれる。
【００３０】
［実施の形態の構成］
この本発明の第１の実施の形態となるビデオゲーム装置は、ビデオゲームの実行機能の他、図１に示すようなディスク１の記録層数を判別して、該ディスク１の種別（単層／多層）を判別するディスクの種別判別機能を有している。
【００３１】
具体的には、この実施の形態のビデオゲーム装置は、ＤＶＤの種別判別機能として、ディスク１を角速度一定或いは線速度一定で回転させるスピンドルモータ２と、ディスク１に対してレーザビームを照射すると共に、このレーザビームの反射光に基づいて、フォーカスエラー信号，トラッキングエラー信号，ＲＦ信号（信号復調用の和信号）、及びディスク１の反射率を示すＰＩ信号（和信号の低域成分を抽出した信号）等のフォトディテクタ信号（Photo Detector信号）を形成する光学ピックアップ３とを有している。
【００３２】
また、このビデオゲーム装置は、光学ピックアップ３をディスク１の径方向に沿って移動制御する送り用モータ４と、光学ピックアップ３からのフォトディテクタ信号を所定の利得で演算増幅して出力するＲＦアンプ５とを有している。
【００３３】
また、このビデオゲーム装置は、ＲＦアンプ５を介して供給されるフォーカスエラー信号に設定されるハイレベル用の閾値に基づいて該フォーカスエラー信号を２値化したFcmpH信号を形成するFcmpHコンパレータ７と、ＲＦアンプ５を介して供給されるフォーカスエラー信号に設定されるローレベル用の閾値に基づいて該フォーカスエラー信号を２値化したFcmpL信号を形成するFcmpLコンパレータ８と、各コンパレータ７，８により形成されたFcmpH信号及びFcmpL信号に基づいて、ＲＦアンプ５を介して供給されるフォーカスエラー信号のピークレベルとボトムレベルを検出するピークボトム検出器６とを有している。
【００３４】
また、このビデオゲーム装置は、ＲＦアンプ５を介して供給されるディスクの反射率を示すディスク反射信号（ＰＩ信号）のピークレベルを検出するピーク検出器９と、所定の閾値に基づいてＰＩ信号を２値化することで形成されたＦＯＫ信号を形成するＦＯＫコンパレータ１０と、ＲＦアンプ５を介して供給されるＲＦ信号を復調する信号復調用ＤＳＰ１１とを有している。
【００３５】
また、このビデオゲーム装置は、ＲＦアンプ５を介して供給されるフォーカスエラー信号，トラッキングエラー信号，ＲＦ信号及びＰＩ信号等に基づいてドライバ１３を制御することで、スピンドルモータ２の回転制御，光学ピックアップ３の送り制御等を行うサーボ処理ＤＳＰ１２と、FcmpHコンパレータ７，FcmpLコンパレータ８，ＦＯＫコンパレータ１０に各閾値の設定等を行うサーボ処理マイクロコンピュータ１４（サーボ処理マイコン）とを有している。
【００３６】
光学ピックアップ３は、前述のフォトディテクタに加え、２軸アクチュエータ１５及び対物レンズ１６を有している。
【００３７】
［再生行程］
次に、このような構成を有するビデオゲーム装置におけるディスク１に記録されている情報の再生が開始されるまでの動作（再生行程）を説明する。
【００３８】
図２は、この再生行程の流れを示すフローチャートである。このフローチャートに示す再生行程の実行プログラムは、ビデオゲーム装置本体内に設けられているＲＯＭ１７に予め記憶されており、サーボ処理マイコン１４が、このＲＯＭ１７から再生行程の実行プログラムを読み出して実行制御するようになっている。
【００３９】
なお、このフローチャートに示す再生行程の実行プログラムをディスク１に記憶しておき、サーボ処理マイコン１４が、このディスク１から実行プログラムを読み出して、例えば最初はＲＡＭやＨＤＤ等の記憶部に記憶制御しておき、次回からこの記憶部に記憶された再生行程の実行プログラムに基づいて、ディスク１に記録されている情報の再生を開始するようにしてもよい。
【００４０】
また、このフローチャートに示す再生行程の実行プログラムを、インターネット等のネットワーク上のサーバ装置からダウンロードしてＲＡＭやＨＤＤ等の記憶部に記憶しておき、サーボ処理マイコン１４が、この記憶部から実行プログラムを読み出して実行制御するようにしてもよい。
【００４１】
このような図２のフローチャートに示す再生行程は、ビデオゲーム装置のサーボ処理マイコン１４が、ディスク１の装着を検出したタイミングでスタートとなり、ステップＳ１に移行する。
【００４２】
ステップＳ１では、サーボ処理マイコン１４が、当該ビデオゲーム装置に装着されたディスク１がＣＤであるかＤＶＤであるかの判別を行う。
【００４３】
具体的には、ＣＤのディスク表面からディスク内部の記録層までの間の距離は、ＤＶＤのディスク表面からディスク内部の記録層までの間の距離よりも長くなっている。このため、サーボ処理マイコン１４は、サーボ処理ＤＳＰ１２及びドライバ１３を介して、ディスク１に照射されるレーザビームの焦点が、ディスク１の記録層から離れた位置から該記録層に対して徐々に近づくように移動制御する。
【００４４】
光学ピックアップ３は、この移動制御に対応して、図３に示すようなディスク反射信号（ＰＩ信号）を形成する。この図３からわかるように、ＰＩ信号としては、レーザビームの焦点がディスク１の表面に移動したタイミングで小レベルのＰＩ信号が得られ、また、レーザビームの焦点がディスク１内の記録層に移動したタイミングで大レベルのＰＩ信号が得られる。ＣＤの場合、この小レベルのＰＩ信号が検出されてから大レベルのＰＩ信号が検出されるまでの時間が、ＤＶＤの場合よりも長くなる。
【００４５】
このため、サーボ処理ＤＳＰ１２は、ＲＦアンプ５を介して供給されるＰＩ信号の、小レベルのＰＩ信号が検出されてから大レベルのＰＩ信号が検出されるまでの時間を検出し、この時間に基づいて、ビデオゲーム装置に装着されたディスク１がＣＤであるかＤＶＤであるかを判別し、この判別出力をサーボ処理マイコン１４に供給する。
【００４６】
サーボ処理マイコン１４は、サーボ処理ＤＳＰ１２から、ビデオゲーム装置に装着されたディスク１がＣＤであることを示す判別出力が供給された場合、そのままこの図２に示すフローチャートの再生行程を終了し、再生系の各増幅器の利得をＣＤ再生用の利得に制御して、ＣＤの再生動作に移行する。
【００４７】
これに対して、サーボ処理マイコン１４は、サーボ処理ＤＳＰ１２から、ビデオゲーム装置に装着されたディスク１がＤＶＤであることを示す判別出力が供給された場合、そのままこの再生行程をステップＳ２に移行して、ＰＩ信号のレベル測定を行う。そして、ステップＳ３において、この測定したＰＩ信号のレベルに応じて、再生系の各増幅器の利得をＤＶＤ再生用の利得に設定制御し、この再生行程をステップＳ４に進める。
【００４８】
次に、サーボ処理マイコン１４は、ステップＳ４において、以下に説明する流れでＤＶＤの記録層が単層又は多層であるかの単層多層判別を行い、ステップＳ５において、フォーカスの引き込みを行い、この判別したＤＶＤの種別に対応するサーボ系の自動調整を行う。そして、ステップＳ６において、ＤＶＤに記録されている情報の再生を開始する。これにより、ＤＶＤの記録層数に対応した再生動作が開始されることとなり、この図２のフローチャートに示す再生行程が終了となる。
【００４９】
［単層多層判別動作］
次に、図５のフローチャートに、上述のステップＳ４におけるＤＶＤの単層多層判別動作の流れを示す。なお、以下、一例として、この単層多層判別は、記録層が１層である単層ＤＶＤと記録層が２層である２層ＤＶＤの判別を行うものとして説明を進める。
【００５０】
この図５のフローチャートは、図２のフローチャートのステップＳ３において、当該ビデオゲーム装置の再生系の各増幅器の利得がＤＶＤ再生用の利得に設定されることでスタートとなり、このＤＶＤの単層多層判別行程がステップＳ１１に進む。
【００５１】
このビデオゲーム装置の場合、ディスク１の単層多層判別は、ディスク１の内周側で行うようになっている。なお、ディスク１の単層多層判別は、ディスク１の外周側や、内周と外周の中間部分等で行ってもよい。このため、サーボ処理マイコン１４は、ステップＳ１１において、光学ピックアップ３の対物レンズ１６を、ディスク１の内周側所定位置で、ディスク１から所定の距離だけ離れた位置（Ｆａｒの位置）となるように、サーボ処理ＤＳＰ１２及びドライバ１３を介して２軸アクチュエータ１５を移動制御する（レンズダウン）。
【００５２】
次に、サーボ処理マイコン１４は、ステップＳ１２において、サーボ処理ＤＳＰ１２及びドライバ１３を介して光学ピックアップ３の半導体レーザを点灯制御してディスク１の内周面にレーザビームを照射制御すると共に、上記所定の距離だけ離れた位置（Ｆａｒの位置）にある対物レンズ１６を、ディスク１の保護膜に近接した位置（Ｎｅａｒの位置）まで等速で徐々に近づけるように２軸アクチュエータ１５を駆動制御する。これにより、レーザビームの焦点は、ディスク１の記録層に対して等速で徐々に近づくように移動することとなる。
【００５３】
次に、光学ピックアップ３からディスク１に対してレーザビームが照射されると、このレーザビームがディスク１により反射されて反射光が生ずる。この反射光は、光学ピックアップ３内に設けられたフォトディテクタにより受光され、そして、この反射光の受光光量及び受光状態に応じたフォーカスエラー信号（ＦＥ信号：例えば非点収差法で形成）及びディスク反射信号（ＰＩ信号）が形成されることとなる。
【００５４】
このうち、フォーカスエラー信号は、ピークボトム検出器６，FcmpＨコンパレータ７、及びFcmpLコンパレータ８に供給される。また、ＰＩ信号は、ピーク検出器９及びＦＯＫコンパレータ１０に供給される。
【００５５】
図３は単層のＤＶＤのＰＩ信号を、図４は２層ＤＶＤのＰＩ信号をそれぞれ示しているが、この図３及び図４中、点線で示すようにＰＩ信号に対しては、記録層に対応するＰＩ信号（＝信号面反射に対応するＰＩ信号）を２値化するための閾値が設定されている。
【００５６】
サーボ処理マイコン１４は、ＦＯＫコンパレータ１０に対してこの閾値の設定を行っている。ＦＯＫコンパレータ１０は、この閾値に基づいて記録層に対応するＰＩ信号を２値化することで、図３及び図４に示すように、レーザビームの焦点が記録層を移動する時間分、ハイレベルとなるＦＯＫ信号を形成し、これをサーボ処理マイコン１４に供給する。
【００５７】
ステップＳ１３では、サーボ処理マイコン１４が、このＦＯＫ信号の立ち上がりエッジを検出し、この立ち上がりエッジのタイミングで、図１に示すタイマ１８に設定した時間のカウントダウン（カウントアップでもよい。また、時間ではなく所定クロックのクロック数をカウントするようにしてもよい。）を開始制御する。これにより、この単層多層判別行程がステップＳ１４に進む。
【００５８】
図３及び図４に示すフォーカスエラー信号を見比べてわかるように、通常、ディスク１が単層の場合、このＦＯＫ信号がハイレベルとなる時間内に１周期分のフォーカスエラー信号が現れ、ディスク１が２層の場合、このＦＯＫ信号がハイレベルとなる時間内に２周期分のフォーカスエラー信号が現れる。このため、タイマ１８に設定する時間（カウントダウン時間）としては、図３及び図４に示すようにＦＯＫ信号がハイレベルとなる時間を設定すればよいが、このビデオゲーム装置の場合、ＦＯＫ信号が、本来、ハイレベルとなるべき時間に所定の時間を加算した時間をタイマ１８に設定するようになっている。
【００５９】
このように、カウントダウン時間を長めに設定することで、各装置に生じ得る対物レンズ１６の移動速度のバラツキを抑えることができる。
【００６０】
次に、この単層多層判別においては、前述のようにレーザビームの焦点を、上記Ｆａｒの位置から上記Ｎｅａｒの位置まで等速で移動制御するが、この焦点移動制御により、該レーザビームの焦点は、第１の記録層（Layer0）、第２の記録層（Layer1）の順に移動することとなり、各記録層にレーザビームの焦点が移動したタイミングで、それぞれ大きな振幅のフォーカスエラー信号が得られることとなる。
【００６１】
このため、サーボ処理マイコン１４は、ステップＳ１４において、第１の記録層（Layer0）にレーザビームの焦点が移動したタイミングで得られるフォーカスエラー信号のピークからボトムまでの間のレベル（L0 Level）を検出する。
【００６２】
図６〜図８に、単層ＤＶＤの記録層に対してレーザビームの焦点が移動したタイミングで得られるフォーカスエラー信号と、上記ＦＯＫ信号と、このフォーカスエラー信号のレベルが、該フォーカスエラー信号に設定されているハイレベルの閾値（FcmpH Slice Level）以上のレベルとなっている間、ハイレベルとなるFcmpH信号と、フォーカスエラー信号のレベルが、該フォーカスエラー信号に設定されているローレベルの閾値（FcmpL Slice Level）以下のレベルとなっている間、ハイレベルとなるFcmpL信号の各波形図を示す。
【００６３】
このうち、図６は、主となるフォーカスエラー信号の前後に現れるうねり成分のレベルが、上記ハイレベルの閾値以下、及び上記ローレベルの閾値以上となっている場合の波形図である。この場合、FcmpH信号及びFcmpL信号に対して、うねり成分による偽パルス（図７及び図８に点線で示すパルスを参照）は発生していない。
【００６４】
これに対して、図７及び図８は、主となるフォーカスエラー信号の前後に現れるうねり成分のレベルが、上記ハイレベルの閾値以上、及び上記ローレベルの閾値以下となっている場合の波形図であり、図８は図７よりもうねり成分のレベルが大きい場合の波形図である。
【００６５】
この場合、FcmpH信号は、主となるフォーカスエラー信号がハイレベルの閾値以上のレベルとなっている間ハイレベルとなり、FcmpL信号は、主となるフォーカスエラー信号がローレベルの閾値以下のレベルとなっている間ハイレベルとなる。また、図７及び図８に点線のパルスとして示すように、うねり成分のレベルがハイレベルの閾値以上のレベルとなっている間、FcmpH信号に対してハイレベルの偽パルスが発生し、うねり成分のレベルがローレベルの閾値以下のレベルとなっている間、FcmpL信号に対してハイレベルの偽パルスが発生する。
【００６６】
同様に、図９〜図１１に、２層ＤＶＤの記録層に対してレーザビームの焦点が移動したタイミングで得られるフォーカスエラー信号と、上記ＦＯＫ信号と、このフォーカスエラー信号のレベルが、該フォーカスエラー信号に設定されているハイレベルの閾値（FcmpH Slice Level）以上のレベルとなっている間、ハイレベルとなるFcmpH信号と、フォーカスエラー信号のレベルが、該フォーカスエラー信号に設定されているローレベルの閾値（FcmpL Slice Level）以下のレベルとなっている間、ハイレベルとなるFcmpL信号の各波形図を示す。
【００６７】
このうち、図９は、主となるフォーカスエラー信号の前後に現れるうねり成分のレベルが、上記ハイレベルの閾値以下、及び上記ローレベルの閾値以上となっている場合の波形図である。この場合、FcmpH信号及びFcmpL信号に対して、うねり成分による偽パルス（図１０及び図１１に点線で示すパルスを参照）は発生していない。
【００６８】
これに対して図１０及び図１１は、主となるフォーカスエラー信号の前後に現れるうねり成分のレベルが、上記ハイレベルの閾値以上、及び上記ローレベルの閾値以下となっている場合の波形図であり、図１１は図１０よりもうねり成分のレベルが大きい場合の波形図である。
【００６９】
この場合、FcmpH信号は、主となるフォーカスエラー信号がハイレベルの閾値以上のレベルとなっている間ハイレベルとなり、FcmpL信号は、主となるフォーカスエラー信号がローレベルの閾値以下のレベルとなっている間、ハイレベルとなる。また、図１０及び図１１に点線のパルスとして示すように、うねり成分のレベルがハイレベルの閾値以上のレベルとなっている間、FcmpH信号に対してハイレベルの偽パルスが発生し、うねり成分のレベルがローレベルの閾値以下のレベルとなっている間、FcmpL信号に対してハイレベルの偽パルスが発生する。
【００７０】
サーボ処理マイコン１４は、図１に示すFcmpHコンパレータ７に対して上記ハイレベルの閾値（FcmpH Slice Level）を設定しており、また、FcmpLコンパレータ８に対して上記ローレベルの閾値（FcmpL Slice Level）を設定している。
【００７１】
FcmpHコンパレータ７は、ＲＦアンプ５から供給されるフォーカスエラー信号のレベルが、このハイレベルの閾値（FcmpH Slice Level）以上のレベルとなっている間ハイレベルとなるFcmpH信号を形成し、これをサーボ処理マイコン１４に供給する。
【００７２】
また、FcmpLコンパレータ８は、ＲＦアンプ５から供給されるフォーカスエラー信号のレベルが、このローレベルの閾値（FcmpL Slice Level）以下のレベルとなっている間、ハイレベルとなるFcmpL信号を形成し、これをサーボ処理マイコン１４に供給する。
【００７３】
ピークボトム検出器６には、各コンパレータ７，８により検出されたFcmpH信号及びFcmpL信号が、サーボ処理マイコン１４を介して供給されている。ピークボトム検出器６は、FcmpH信号の立ち上がりエッジから立ち下がりエッジまでの間で一番大きな値を示すフォーカスエラー信号の値を、該フォーカスエラー信号のピーク値としてサーボ処理マイコン１４に供給する。サーボ処理マイコン１４は、このピーク値を第１の記録層のピーク値（L0peak）として記憶する。
【００７４】
また、ピークボトム検出器６は、FcmpL信号の立ち上がりエッジからFcmpL信号の立ち下がりエッジまでの間で一番小さな値を示すフォーカスエラー信号の値を、該フォーカスエラー信号のボトム値としてサーボ処理マイコン１４に供給する。サーボ処理マイコン１４は、このボトム値を第１の記録層のボトム値（L0bottom）として記憶する。
【００７５】
そして、サーボ処理マイコン１４は、このピーク値（L0peak）及びボトム値（L0bottom）に基づいて、第１の記録層（Layer0）にレーザビームの焦点が移動したタイミングで得られるフォーカスエラー信号のピークからボトムまでの間のレベル（L0 Level）を検出する。これが、ステップＳ１４の動作である。
【００７６】
なお、このL0 Levelを検出する段階において、上記ＦＯＫ信号の立ち上がりエッジのタイミングでカウントダウンが開始されるタイマ１８からのカウント値が「０」になったにも拘わらず、上記FcmpH信号の立ち上がりエッジを検出できない場合、サーボ処理マイコン１４は、当該ビデオゲーム装置に取り扱いできないディスク（規格外ディスク）が装着されたものと判断して、例えばユーザに対してエラーメッセージの表示等を行う。
【００７７】
次に、ステップＳ１５では、ピークボトム検出器６が、上記L0 Levelを検出したときに用いたFcmpH信号の次のFcmpH信号の立ち上がりエッジから立ち下がりエッジまでの間で一番大きな値を示すフォーカスエラー信号の値を、該フォーカスエラー信号のピーク値としてサーボ処理マイコン１４に供給する。サーボ処理マイコン１４は、このピーク値を第２の記録層のピーク値（L1peak）として記憶する。
【００７８】
また、ピークボトム検出器６は、上記L0 Levelを検出したときに用いたFcmpL信号の次のFcmpL信号の立ち上がりエッジから立ち下がりエッジまでの間で一番小さな値を示すフォーカスエラー信号の値を、該フォーカスエラー信号のボトム値としてサーボ処理マイコン１４に供給する。サーボ処理マイコン１４は、このボトム値を第２の記録層のボトム値（L1bottom）として記憶する。
【００７９】
そして、サーボ処理マイコン１４は、このピーク値（L1peak）及びボトム値（L1bottom）に基づいて、第２の記録層（Layer1）にレーザビームの焦点が移動したタイミングで得られるフォーカスエラー信号のピークからボトムまでの間のレベル（L1 Level）を検出する。
【００８０】
次に、ステップＳ１６では、サーボ処理マイコン１４が、上記L0 Level，上記L1 Level，所定の定数Ｋ，記録層でのフォーカスエラー信号としてはあり得ない程小さなレベルを示すMin Level（ミニマムレベル）、及びタイマ１８のカウント値に基づいて、以下に説明する判断を行う。
【００８１】
なお、「所定の定数Ｋ」の値は、ディスクフォーマットの各記録層毎の反射率規格、及びフォーカスエラー信号のうねり成分の大きさ等に基づいて決定されている。
【００８２】
具体的には、この例においては、第１の記録層のフォーカスエラー信号のピーク（上記L0peak及び上記L1peak）〜ボトム（L0bottom及びL1bottom）間のレベルと、第２の記録層のフォーカスエラー信号のピーク（上記L0peak及び上記L1peak）〜ボトム（L0bottom及びL1bottom）間のレベルとの差は、最大で１：３以下であると想定している。また、記録層に対応するフォーカスエラー信号のレベルの１／３（約３３％）以下のレベルの信号が検出された場合、その信号はうねり成分と判断するようにしている。そして、「所定の定数Ｋ」としては、「Ｋ＝３（或いはＫ＝３〜５程度）」が設定されている。
【００８３】
図１２に、サーボ処理マイコン１４で行われる上記各値に基づく判断の一覧を示す。
【００８４】
１．判断Ａ
この図１２において、まず、第１の記録層（Layer0）にレーザビームの焦点が移動したタイミングで得られるフォーカスエラー信号のピークからボトムまでの間のレベル（L0 Level）、及び第２の記録層（Layer1）にレーザビームの焦点が移動したタイミングで得られるフォーカスエラー信号のピークからボトムまでの間のレベル（L1 Level）が、記録層でのフォーカスエラー信号としてはあり得ない程小さなレベルを示すMin Level（ミニマムレベル）よりも小さいレベルである場合、サーボ処理マイコン１４は、「判断Ａ」として、そのL0 Level及びL1 Levelの各信号は共にうねり成分であると判断する。
【００８５】
これは、図８及び図１１に示すように、主となるフォーカスエラー信号に対応するFcmpH信号及びFcmpL信号の前段に、点線で描く偽パルスが２回連続して現れる場合である。
【００８６】
この場合、主となるフォーカスエラー信号に対応するFcmpH信号及びFcmpL信号は未だ検出されていないこととなるため、サーボ処理マイコン１４は、図５のフローチャートに示すように単層多層判別行程をステップＳ１６からステップＳ１４に移行させ、このステップＳ１４から新たにL0 Level及びL1 Levelの検出を行う。
【００８７】
これにより、FcmpH信号及びFcmpL信号の偽パルスを破棄し、真のFcmpH信号及びFcmpL信号を検出すべく、該FcmpH信号及びFcmpL信号の検出動作を再開することができる。
【００８８】
２．判断Ｂ
次に、第１の記録層のL0 Levelで第２の記録層のL1 Levelを除算した値（L1 Level／L0 Level）が上記定数Ｋの値よりも大きく、かつ、L1 LevelがMin Levelよりも大きな値である場合、サーボ処理マイコン１４は、「判断Ｂ」として、そのL0 Levelはうねり成分であると判断する。
【００８９】
すなわち、L1 LevelがMin Levelよりも大きな値であるということは、このL1 Levelは、主となるフォーカスエラー信号に対応する値であることを示す。そして、この主となるフォーカスエラー信号に対応するL1 Levelを第１の記録層のL0 Levelで除算した結果、定数Ｋの値よりも大きな値となったということは、L0 Levelは、主となるフォーカスエラー信号としては考えられない非常に小さな値であることを示す。
【００９０】
これは、図７及び図１０に示すように、主となるフォーカスエラー信号に対応するFcmpH信号及びFcmpL信号の前段に、点線で描く偽パルスが１回現れる場合である。
【００９１】
従って、最初に検出された第１の記録層に対応するL0 Levelは、偽パルスに基づいて検出された値であり、次に検出された第２の記録層に対応するL1 Levelが、第１の記録層に対応する真のL0 Levelであるため、サーボ処理マイコン１４は、図５のフローチャートに示すように単層多層判別行程をステップＳ１６からステップＳ１８に移行させる。
【００９２】
ステップＳ１８では、サーボ処理マイコン１４が、最初に検出された第１の記録層に対応するL0 Levelを破棄し、次に検出された第２の記録層に対応するL1 Levelを第１の記録層に対応するL0 Levelとして記憶する。そして、この単層多層判別行程をステップＳ１５に移行させ、このステップＳ１５において、再度L1 Levelの検出を行う。
【００９３】
これにより、FcmpH信号及びFcmpL信号の偽パルスを破棄し、真のFcmpH信号及びFcmpL信号を検出すべく、該FcmpH信号及びFcmpL信号の検出動作を再開することができる。
【００９４】
３．判断Ｃ
次に、第２の記録層のL1 Levelで第１の記録層のL0 Levelを除算した値（L0 Level／L1 Level）が上記定数Ｋの値よりも大きく、かつ、L0 LevelがMin Levelよりも大きな値であり、さらに、タイマ１８によるカウントダウンがタイムアップしていない場合（＝計測期間内である場合）、サーボ処理マイコン１４は、「判断Ｃ」として、そのL1 Levelはうねり成分であると判断する。
【００９５】
すなわち、L0 LevelがMin Levelよりも大きな値であるということは、このL0 Levelは、主となるフォーカスエラー信号に対応する値であることを示す。そして、この主となるフォーカスエラー信号に対応するL0 Levelを第２の記録層のL1 Levelで除算した結果、定数Ｋの値よりも大きな値となったということは、L1 Levelは、主となるフォーカスエラー信号としては考えられない非常に小さな値であることを示す。そして、L1 Levelが検出されたにも拘わらずタイムアップしていないということは、このL1 Levelは偽パルスに対応するものであり、真のL1 Levelは未だ検出されていないことを示す。
【００９６】
このため、サーボ処理マイコン１４は、「判断Ｃ」として図５のフローチャートに示すように単層多層判別行程をステップＳ１６からステップＳ１５に移行させ、再度L1 Levelの検出を行う。
【００９７】
これにより、FcmpH信号及びFcmpL信号の偽パルスを破棄し、真のFcmpH信号及びFcmpL信号を検出すべく、該FcmpH信号及びFcmpL信号の検出動作を再開することができる。
【００９８】
４．判断Ｄ
次に、第２の記録層のL1 Levelを検出する際に、タイマ１８によるカウントダウンが終了しており（＝計測期間が終了しており）、かつ、第１の記録層のL0 LevelがMin Levelよりも大きな値であった場合、これは、第２の記録層はディスク１上に存在せず、しかも、既に検出されている第１の記録層のL0 Levelは、主となるフォーカスエラー信号に対応する値であることを示している。
【００９９】
これは、図６に示すように偽パルスが現れず、主となるフォーカスエラー信号のFcmpH信号及びFcmpL信号がそれぞれ一つずつ検出される場合である。
【０１００】
このため、サーボ処理マイコン１４は、「判断Ｄ」として図５のフローチャートに示すように単層多層判別行程をステップＳ１６からステップＳ１７に移行させ、このステップＳ１７において、現在、当該ビデオゲーム装置に装着されているディスク１は単層ＤＶＤ（シングルレイヤディスク）であると判別して、この図５のフローチャートに示す単層多層判別行程を終了する。これにより、記録層が１層である単層ＤＶＤを正確に判別することができる。
【０１０１】
なお、片面及び他面にそれぞれ１層ずつ記録層が設けられたＤＶＤは、ディスクを全体的に見れば、記録層が２つ存在するため、多層の記憶媒体である。しかし、一つの面に対して記録層が一つしか存在しない。このため、この片面及び他面にそれぞれ１層ずつ記録層が設けられたＤＶＤは、この判断Ｄにおいて、単層のＤＶＤとして判別される。
【０１０２】
５．判断Ｅ
次に、第１の記録層のL0 Levelで第２の記録層のL1 Levelを除算した値（L1 Level／L0 Level）が上記定数Ｋの値よりも小さく、かつ、L0 Level及びL1 Levelが共にMin Levelよりも大きな値である場合、これは、L0 LevelとL1 Levelが同程度のレベルを有し、しかも、L0 Level及びL1 Level共にMin Levelよりも大きな値であるため、L0 Level及びL1 Level共に主となるフォーカスエラー信号に対応するものと判断することができる。
【０１０３】
これは、図９に示すように偽パルスが現れず、主となるフォーカスエラー信号のFcmpH信号及びFcmpL信号がそれぞれ二つずつ検出される場合である。
【０１０４】
このため、サーボ処理マイコン１４は、「判断Ｅ」として、図５のフローチャートに示すように単層多層判別行程をステップＳ１６からステップＳ１９に移行させ、このステップＳ１９において、現在、当該ビデオゲーム装置に装着されているディスク１は記録層が２層である２層ＤＶＤ（デュアルレイヤディスク）であると判別して、この図５のフローチャートに示す単層多層判別行程を終了する。これにより、記録層が２層である２層ＤＶＤを正確に判別することができる。
【０１０５】
［実施の形態の効果］
以上の説明から明らかなように、この実施の形態のビデオゲーム装置は、各記録層から得られる再生出力（この例の場合、フォーカスエラー信号）の相対比率を用いてディスク１の記録層が単層であるか多層であるかの判別を行う。このため、ディスク１からの再生出力レベルに対する許容範囲が広く、反射率が異なるディスクや、温度，経時変化による再生出力のレベル変動にも対応して、正確にディスクの単層多層判別を行うことができる。
【０１０６】
従って、この実施の形態によれば、再生出力のレベル変動に影響されないため、単層多層判別機能が設けられたビデオゲーム装置等の工場出荷時における、例えば各種閾値の調整等を省略することができる。
【０１０７】
また、再生出力の振幅を利用して単層多層判別を行うようになっているため、１周期の振幅の前半と後半のバランスが崩れている再生出力が得られた場合でも、正確にディスクの記録層数の判別、つまり単層多層判別を行うことができる。
【０１０８】
［実施の形態の変形例］
なお、上述の実施の形態の説明では、光学ピックアップ３の対物レンズ１６をＦａｒ位置からＮｅａｒ位置にかけて等速に移動制御することとしたが、対物レンズ１６をＮｅａｒ位置からＦａｒ位置にかけて等速に移動制御するようにしてもよい。この場合、フォーカスエラー信号の波形は、上記対物レンズ１６をＦａｒ位置からＮｅａｒ位置に移動制御した場合に対して反転した波形となるため、単層多層判別行程も、この反転した波形に対応するように適宜変更すればよい。
【０１０９】
また、上述の各実施の形態の説明では、本発明をＤＶＤの再生機能を有するビデオゲーム装置に適用することとしたが、本発明は、この他、例えばＤＶＤプレーヤ装置，ＤＶＤ記録再生装置等の他の機器に適用してもよく、単層構造及び多層構造の両方の層構造が存在する記憶媒体を取り扱う機器であればどのような機器でも適用することができる。
【０１１０】
最後に、上述の実施の形態は本発明の一例である。このため、本発明は上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【０１１１】
【図１】本発明を適用した実施の形態のビデオゲーム装置のブロック図である。
【図２】実施の形態のビデオゲーム装置における再生行程の流れを説明するためのフローチャートである。
【図３】単層構造のディスクにおけるディスク表面の再生出力及び記録層の再生出力を示す図である。
【図４】多層構造のディスクにおけるディスク表面の再生出力及び記録層の再生出力を示す図である。
【図５】実施の形態のビデオゲーム装置におけるディスクの種別判別行程の流れを説明するためのフローチャートである。
【図６】単層構造のディスクにおいて、うねり成分が殆ど発生していない場合のフォーカスエラー信号の波形を示す図である。
【図７】単層構造のディスクにおいて、うねり成分が多少発生している場合のフォーカスエラー信号の波形を示す図である。
【図８】単層構造のディスクにおいて、大きなうねり成分が発生している場合のフォーカスエラー信号の波形を示す図である。
【図９】２層構造のディスクにおいて、うねり成分が殆ど発生していない場合のフォーカスエラー信号の波形を示す図である。
【図１０】２層構造のディスクにおいて、うねり成分が多少発生している場合のフォーカスエラー信号の波形を示す図である。
【図１１】２層構造のディスクにおいて、大きなうねり成分が発生している場合のフォーカスエラー信号の波形を示す図である。
【図１２】実施の形態のビデオゲーム装置におけるディスクの種別判別のための判断基準を説明するための図である。
【図１３】単層のＤＶＤから得られるＲＦ信号の信号レベルを説明するための図である。
【図１４】２層のＤＶＤから得られるＲＦ信号の信号レベルを説明するための図である。
【図１５】単層のＤＶＤから得られるフォーカスエラー信号のうねりにより発生する偽パルスを示す図である。
【図１６】２層のＤＶＤから得られるフォーカスエラー信号のうねりにより発生する偽パルスを示す図である。
【符号の説明】
【０１１２】
１…ディスク，２…スピンドルモータ，３…光学ピックアップ，４…送り用モータ，５…ＲＦアンプ，６…ピークボトム検出器，７…FcmpHコンパレータ，８…FcmpLコンパレータ，９…ピーク検出器，１０…ＦＯＫコンパレータ，１１…信号復調用ＤＳＰ，１２…サーボ処理ＤＳＰ，１３…ドライバ，１４…サーボ処理マイコン，１５…２軸アクチュエータ，１６…対物レンズ，１７…ＲＯＭ，１８…タイマ
【図１】
2004342309.tif 000003
【図２】
2004342309.tif 000004
【図３】
2004342309.tif 000005
【図４】
2004342309.tif 000006
【図５】
2004342309.tif 000007
【図６】
2004342309.tif 000008
【図７】
2004342309.tif 000009
【図８】
2004342309.tif 000010
【図９】
2004342309.tif 000011
【図１０】
2004342309.tif 000012
【図１１】
2004342309.tif 000013
【図１２】
2004342309.tif 000014
【図１３】
2004342309.tif 000015
【図１４】
2004342309.tif 000016
【図１５】
2004342309.tif 000017
【図１６】
2004342309.tif 000018